(57)【要約】【課題】自動ワインダーの巻取ユニットを構成するにあたり、糸張力調節装置や糸継装置等の巻取ユニット構成装置の着脱を簡単にでき、また仕様変更を容易にする。【解決手段】巻取ユニット支持本体１の取着部１ａの所定位置に電気配線用コネクター及び空気配管用コネクターの一方の接合部３ａ，４ａを配設し、巻取ユニット構成装置２の取着部材２ａに、コネクターの他方の接合部３ｂ，４ｂと、巻取ユニット支持本体１の取着部１ａへ取着するための連結手段１０とを配設する。巻取ユニット支持本体１の取着部１ａにおけるコネクターの接合部３ａ，４ａの配置及び巻取ユニット構成装置２の取着部材２ａにおけるコネクターの接合部３ｂ，４ｂの配置を、巻取ユニット構成装置２の種類ごとに異ならせる。巻取ユニット及び巻取ユニット構成装置の組立てが簡単になり、保守点検、仕様変更も容易になり、巻取ユニット構成装置の付け間違いが防止される。【選択図】      図４
2007326720.tif 000002
【特許請求の範囲】
【請求項１】
巻取ユニット支持本体に複数の巻取ユニット構成装置を取着した自動ワインダーの巻取ユニットにおいて、巻取ユニット支持本体における巻取ユニット構成装置が取着される取着部の所定位置に、電気配線用コネクターの一方の接合部及び／又は空気配管用コネクターの一方の接合部が配設され、巻取ユニット構成装置は、巻取ユニット支持本体の取着部へ脱離可能に取着される取着部材を有し、該取着部材に、巻取ユニット支持本体に配設されたコネクターの一方の接合部に対応する他方の接合部と、巻取ユニット構成装置を巻取ユニット支持本体の取着部へ取着するための連結手段とが配設され、巻取ユニット支持本体の取着部におけるコネクターの接合部の配置、及び、巻取ユニット構成装置の取着部材におけるコネクターの接合部の配置が、巻取ユニット構成装置の種類ごとに異なっていることを特徴とする自動ワインダーの巻取ユニット。
【発明の詳細な説明】
【技術分野】
【０００１】
本発明は、自動ワインダーの巻取ユニットを構成する糸張力調節装置や糸継装置等の巻取ユニット構成装置の着脱を簡単にでき、また仕様変更を容易にする改良に関するものである。
【背景技術】
【０００２】
従来、自動ワインダーは、複数の巻取ユニットを機台に取付けて構成されている。そして、該巻取ユニットは、特許文献１に示す如く、起立状態の巻取ユニット支持本体に糸張力調節装置や糸継装置等の巻取ユニット構成装置の複数個を取着してある。これら巻取ユニット構成装置は、巻取ユニット支持本体に第１の部材を取着し、第１の部材に第２の部材を取着し、第２の部材に第３の部材を取着する等して複数個の部材を次々に取着し、更に適当な時に配線や配管を施して自動ワインダーの巻取ユニットを組立てするようにしてある。また、巻取ユニット構成装置は、揺動レバー等の動く部材を有するとき、巻取ユニット支持本体に備えた伝動機構の原動節に中間節を介する等して従動節を、組立途中の適当な時に連結することで、動く部材に動力を伝達できるようにしてある。
【特許文献１】特開昭５２−１０７２４４号公報
【発明の開示】
【発明が解決しようとする課題】
【０００３】
しかし、自動ワインダーの巻取ユニットは、各巻取ユニット構成装置を構成する複数個の部材を次々に取着すると共に、適当な時に配線や配管を施して各巻取ユニット構成装置を組立てつつ自動ワインダーの巻取ユニット全体を組立てるものであるため、次のような問題点があった。
（１）巻取ユニット構成装置の組立てと自動ワインダーの巻取ユニット全体の組立てとが並行するため、自動ワインダーの巻取ユニット全体の組立てに多くの手間を必要とし、製造コストが高くなる。
（２）巻取ユニット支持本体に複数個の巻取ユニット構成装置を取着して自動ワインダーの巻取ユニットの全体を組立てるため、作業の分散化が難しく、製造コストが高くなる。
（３）巻取ユニット構成装置を保守点検する際に、巻取ユニット構成装置の構成部材を次々に着脱するのに多くの手間を必要とし、維持管理コストが高くなる。
【０００４】
そこで、本発明は、上記問題を解決するために、自動ワインダーの巻取ユニットの組立てや保守点検が簡単にでき、また予め巻取ユニット構成装置の組立てができる自動ワインデーの提供を目的とする。
【課題を解決するための手段】
【０００５】
巻取ユニット構成装置を備えた自動ワインダーの巻取ユニットの組立てや保守点検が簡単にでき、また配線や配管等を施す必要がある巻取ユニット構成装置自体の組立てが簡単にできるようにするために請求項１記載の本発明が採用した手段は、巻取ユニット支持本体に巻取ユニット構成装置を取着した自動ワインダーの巻取ユニットにおいて、巻取ユニット支持本体における巻取ユニット構成装置が取着される取着部の所定位置に、電気配線用コネクターの一方の接合部及び／又は空気配管用コネクターの一方の接合部が配設され、巻取ユニット構成装置は、巻取ユニット支持本体の取着部へ脱離可能に取着される取着部材を有し、該取着部材に、巻取ユニット支持本体に配設されたコネクターの一方の接合部に対応する他方の接合部と、巻取ユニット構成装置を巻取ユニット支持本体の取着部へ取着するための連結手段とが配設され、巻取ユニット支持本体の取着部におけるコネクターの接合部の配置、及び、巻取ユニット構成装置の取着部材におけるコネクターの接合部の配置が、巻取ユニット構成装置の種類ごとに異なっていることを特徴とする自動ワインダーの巻取ユニットである。
【０００６】
本発明にあっては、自動ワインダーの巻取ユニット全体の組立てと切り離して、取着部材と他の構成部材とを組み付けることにより、巻取ユニット構成装置自体を予め組立てておくことができるので、巻取ユニット構成装置自体の組立てが簡単にできる。組立てた巻取ユニット構成装置を一体として扱うことができると共に、巻取ユニット支持本体の取着部へ巻取ユニット構成装置の取着部材を取着又は離脱するとき、コネクターの両接合部が接合又は分離状態になるため、自動ワインダーの巻取ユニット全体の組立てや保守点検が簡単にできる。
【０００７】
なお、巻取ユニット支持本体と巻取ユニット構成装置との間で動力の伝達を必要とする場合には、前記巻取ユニット支持本体の取着部の所定位置に、伝動機構の原動節及び従動節のいずれか一方の節を配設し、前記巻取ユニット構成装置の取着部材の所定位置に、上記伝動機構の他方の節を配設し、前記巻取ユニット支持本体の取着部へ前記巻取ユニット構成装置の取着部材を着脱するとき、各コネクターの両接合部が接合又は分離状態になると共に、伝動機構の両節が連結又は分離状態となるようにすればよい。
【０００８】
さらに、前記巻取ユニットにおいて、前記巻取ユニット支持本体の取着部へ前記取着部材を着脱するために前記巻取ユニット構成装置を一方向へ向かって移動したとき、前記コネクターの両接合部が接合又は分離状態となるようにすることができる。
かかる構成によれば、巻取ユニット構成装置を着脱のために一方向へ移動することで、コネクターが接合又は分離状態になるため、自動ワインダーの巻取ユニット全体の組立てや保守点検が簡単にできる。
【発明の効果】
【０００９】
本発明に係る自動ワインダーの巻取ユニットによれば、自動ワインダーの巻取ユニット全体の組立てが簡単にできると共に自動ワインダーの巻取ユニット全体の組立てと切り離して予め巻取ユニット構成装置自体の組立てができるため、自動ワインダーの巻取ユニットの製造コストの低減が図れる。更に、自動ワインダーの巻取ユニットの保守点検が巻取ユニットを作業通路側に倒さなくとも簡単にできるため、自動ワインダーの巻取ユニットの維持管理コストの低減が図れる。
また、巻取ユニット支持本体の取着部におけるコネクターの接合部の配置、及び、巻取ユニット構成装置の取着部材におけるコネクターの接合部の配置を、巻取ユニット構成装置の種類ごとに異ならせたので、巻取ユニット構成装置の取着位置の付け間違いを防止することができる。
以上を要するに、本発明にあっては、巻取ユニット構成装置のカセット化により、組立や保守点検が容易になるという利点があると共に、自動ワインダーの仕様変更も容易にできるという利点がある。
【発明を実施するための最良の形態】
【００１０】
以下、本発明に係る自動ワインダーの巻取ユニットを図１乃至図１５に示す本発明の実施の形態に基づいて説明する。図１は巻取ユニット支持本体と各巻取ユニット構成装置とが分離された状態を示す正面図、図２は巻取ユニット支持本体に各巻取ユニット構成装置を取着した状態を示す正面図、図３は巻取ユニット支持本体に各種巻取ユニット構成装置を取着した状態を示す左側面図、図４はコネクターの両接合部、伝動機構の両節、位置決手段のピンと孔及び連結手段のねじ孔とボルトの夫々を分離した状態を拡大して示す正面断面図、図５はコネクターの両接合部、伝動機構の両節、位置決手段のピンと孔及び連結手段のねじ孔とボルトの夫々を接合又は連結した状態を拡大して示す正面断面図、図６乃至図１５は各巻取ユニット構成装置を示す斜視図である。
【００１１】
自動ワインダーは、図３に示す如く、複数の巻取ユニット１１を機台に取付けて構成されている。本実施の形態の自動ワインダーの巻取ユニット１１は、図１乃至図３に示すように、起立した巻取ユニット支持本体１と、巻取ユニット支持本体１に取着する１個又は複数個の巻取ユニット構成装置２とからなるものであって、その主たる改良点を次の通りとしたものである。
（１）巻取ユニット支持本体１は、図４及び図５に示す如く、その所定位置に配設した一種類又は複数種類（図面は２種類）のコネクター３，４の一方の接合部３ａ，４ａ及び／又は伝動機構５の一方の節５ａを備えたこと。
（２）巻取ユニット構成装置２は、巻取ユニット支持本体１へ脱離可能に取着する取着部材６ａを含む複数個の構成部材６ｂ，６ｃ…を組立てた装置本体部６と、その所定位置に配設したコネクター３，４の他方の接合部３ｂ，４ｂ及び／又は伝動機構５の他方の節５ｂとを一体化して備えたこと。
（３）巻取ユニット支持本体１へ巻取ユニット構成装置２の取着部６ａを着脱するときに、配設してあるコネクター３，４の両接合部３ａ，３ｂ（４ａ，４ｂ）が接合又は分離状態となり、配設してある伝動機構５の両節５ａ，５ｂが連結又は分離状態となるようにしたこと。
（４）巻取ユニット構成装置２の取着部材６ａにおけるコネクター３，４の接合部３ｂ，４ｂ及び伝動機構５の節５ｂの配置を、巻取ユニット構成装置２の種類ごとに異ならせたこと。
【００１２】
前記コネクター３は、電気配線用のものであって、巻取ユニット支持本体１の側盤からなる取着部１ａの所定位置に一方の接合部３ａが配設され、巻取ユニット構成装置２の取着部材６ａの所定位置に他方の接合部３ｂが配設されている。接合部３ａは雌及び雄のいずれか一方（図面の場合は雌）となり、接合部３ｂは他方となる。コネクター３の接合部３ａ，３ｂは、電源用配線及び／又は信号用配線等の配線が接合され、巻取ユニット支持本体１側と巻取ユニット構成装置２側との間で電気の供給や信号の交信が行われるようにしてある。
【００１３】
前記コネクター４は、圧縮空気又は吸引空気の配管用のものであって、巻取ユニット支持本体１の取着部１ａの所定位置に一方の接合部４ａが配設され、巻取ユニット構成装置２の取着部材６ａの所定位置に他方の接合部４ｂが配設されている。接合部４ａは雄及び雌のいずれか一方（図面の場合は雄）となり、接合部４ｂは他方となる。コネクター４は、管からなる雄の接合部４ａにシールリング７を外嵌するか又は管からなる雌の接合部４ｂにシールリング７を内嵌することで、両接合部４ａ，４ｂを嵌合して接合したとき、両接合部４ａ，４ｂの隙間をシールするようにしてある。
【００１４】
前記伝動機構５は、巻取ユニット支持本体１の所定位置に原動節及び従動節のいずれか一方の節５ａ（図面の場合は原動節）が配設され、巻取ユニット構成装置２の所定位置に他方の節５ｂ（図面の場合は従動節）が配設され、巻取ユニット支持本体１に巻取ユニット構成装置２の取着部６ａを着脱したときに、両節５ａ，５ｂが連結又は分離状態となるようにしてある。両節としては、図面に示すような点、線又は面の対偶で接する板カム及び棒の組合せや、図示は省略したが、噛合するスプライン軸及び軸受との組合せ、噛合する２個のギヤーの組合せ等が適宜選択される。但し、両節５ａ，５ｂの一方は、巻取ユニット構成装置２の着脱方向に直線的に往復動するよう構成するのが好ましい。巻取ユニット支持本体１の取着部１ａ及び／又は巻取ユニット構成装置２の取着部材６ａには、開口部８が設けられ、一方の節が巻取ユニット構成装置２の内部又は巻取ユニット支持本体１の内部に侵入できるようにしてある。巻取ユニット構成装置２に従動節５ｂが配置されるときには、巻取ユニット支持本体１に配置されている原動節５ａから動力が伝達され、巻取ユニット構成装置２に組み込まれている機構を駆動する。逆に、巻取ユニット支持本体１に従動節５ｂが配置されるときには、巻取ユニット構成装置２に配置されている原動節５ａから動力が伝達され、巻取ユニット支持本体１に組み込まれている機構を駆動する。
【００１５】
前記巻取ユニット支持本体１の取着部１ａ及び巻取ユニット構成装置２の取着部材６ａには、ピン９ａと孔９ｂとの組合せからなる位置決手段９が適所に一組または複数組が設けられ、両者１ａ，６ａを接合状態とするときの位置決めを正確にできるようにしてある。
【００１６】
前記巻取ユニット支持本体１の取着部１ａ及び巻取ユニット構成装置２の取着部材６ａには、ねじ孔１０ａとボルト１０ｂとの組合せからなる連結手段１０の一組又は複数組が適所に設けられ、両者１ａ，６ａを取着状態とするとき強固に連結できるようにしてある。連結手段１０は、巻取ユニット構成装置２の取着部材６ａにボルト１０ｂを脱落しないように配置し、巻取ユニット支持本体１の取着部１ａにねじ孔１０ａを設けた場合には、巻取ユニット構成装置２側からボルト１０ｂの締付け作業が簡単にできる。なお、ボルト１０ｂに六角穴付きボルトを用いた場合には、Ｔ字状のレンチ２０（図４参照）で更に簡単に締付け作業ができる。また、ボルト１０ｂを脱落しないように配置するには、例えば、取着部材６ａのボルト１０ｂの挿通孔に、取着部１ａと同様のねじ孔を形成すればよい。
【００１７】
前記コネクター３の接合部３ａ，３ｂを接合又は分離するために両接合部３ａ，３ｂを相対移動させる方向、前記コネクター４の接合部４ａ，４ｂを接合又は分離するために両接合部４ａ，４ｂを相対移動させる方向、伝動機構５の両節５ａ，５ｂを連結又は分離するために両節５ａ，５ｂを相対移動させる方向、位置決手段９のピン９ａと孔９ｂとを嵌合又は分離するために両者９ａ，９ｂを相対移動させる方向並びに連結手段１０のボルト１０ｂとねじ孔１０ａとを螺合又は分離するために両者１０ａ，１０ｂを相対移動させる方向は、同一方向（図４の矢符Ａ方向）となっている。これにより、巻取ユニット構成装置２は、固定した巻取ユニット支持本体１の取着部１ａに対して矢符Ａ方向へ移動させることにより、上記接合又は分離、連結又は分離、嵌合又は分離並びに螺合又は分離を、同時又は並行して行うことができるようになる。
【００１８】
前記巻取ユニット構成装置２としては、図１及び図３に示す如く、糸張力調節装置１２、糸継装置１３、ワックス塗布装置１４、糸欠点検出装置１５及びドラムカバー装置１６及び図１１に示す毛羽伏せ装置１７がある。なお、毛羽伏せ装置１７は、要求に応じて糸張力調節装置１２と取り替えて使用する。巻取ユニット支持本体１は、作業通路側である手前側Ｃ（図３参照）に傾動可能に起立したものであり、その上方に駆動ドラム１８を片持ち状態に支持してある。
【００１９】
前記巻取ユニット構成装置２の一種である糸張力調節装置１２は、図６及び図４に示す如く、巻取ユニット支持本体１へ脱離可能に取着する取着部材６ａを含む複数個の構成部材（オープナー及びカッター等）を組立てた糸張力調節装置本体部６と、糸張力調節装置１２の所定位置に夫々配設した、配線用コネクター３の他方の接合部３ｂと、掃除用圧縮空気を受ける配管用コネクター４の他方の接合部４ｂと、オープナー等を駆動するための伝動機構５の他方の節である従動節５ｂと、カッターを駆動するための伝動機構５の他方の節である従動節５′ｂと、位置決手段９の孔９ｂ及び連結手段１０のボルト１０ｂとを一体に備えている。巻取ユニット支持本体１は、糸張力調節装置１２が取着される領域における所定位置に、図４に示す如く、該配線用コネクター３の一方の接合部３ａと、該配管用コネクター４の一方の接合部４ａと、該オープナー等を駆動する伝動機構５の一方の節である原動節５ａと、該カッターを駆動する伝動機構５の一方の節である原動節（図示略）と、該位置決手段９のピン９ａ及び該連結手段１０のねじ孔１０ａを設けてある。
【００２０】
上記糸張力調節装置１２は、固定した巻取ユニット支持本体１の取着部１ａに対して、自動ワインダーの巻取ユニット１１の組立て又は保守点検のために矢符Ａ方向へ移動させたとき、上記コネクター３，４の接合又は分離、上記伝動機構５，５の連結又は分離、上記位置決手段９の嵌合又は分離並びに上記連結手段１０の螺合又は分離を、同時又は並行して行うことができるようになっている。連結手段１０のボルト１０ｂの締付け又は弛め操作は、レンチ１０を用いて通路側から行うようになっている。
【００２１】
前記巻取ユニット構成装置２の一種である糸継装置１３は、図７及び図４に示す如く、巻取ユニット支持本体１へ脱離可能に取着する取着部材６ａを含む複数個の構成部材（各種糸寄せレバー、糸継本体等）を組立てた糸張力調節装置本体部６と、糸継装置１３の所定位置に配設した、掃除用圧縮空気を受ける３個の配管用コネクター４の他方の接合部４ｂと、各種糸寄せレバー等を駆動するための伝動機構５の歯車からなる他方の節である従動節（本体部６の内部に配設してあるため図７には図示されていない）と、２個の連結手段１０のボルト１０ｂ，１０ｂとを一体に備えている。糸継装置１３の取着部材６ａには、伝動機構５の両節を連結するときに、一方の節５ａ（図１参照）を侵入させるための切欠き部１９を形成してある。巻取ユニット支持本体１は、糸継装置１３が取着される領域における夫々の所定位置に、図４に示す如く、該３個の配管用コネクター４の一方の接合部４ａと、該伝動機構５の一方の節である原動節５ａ（図１参照）と、該２個の連結手段１０のねじ孔１０ａを設けてある。
【００２２】
上記糸継装置１３は、固定した巻取ユニット支持本体１の取着部１ａに対して、自動ワインダーの巻取ユニット１１の組立て又は保守点検のために矢符Ａ方向へ移動させたとき、上記各コネクター４の接合又は分離、上記伝動機構５の連結又は分離並びに上記連結手段１０の螺合又は分離を、同時又は並行して行うことができるようになっている。なお、伝動機構５は、糸継装置１３を着脱するときに、原動節５ａを原点で停止させるための原点固定ピン（図示略）を取り付けて行うようになっている。
【００２３】
前記巻取ユニット構成装置２の一種であるワックス塗布装置１４は、図８及び図４に示す如く、巻取ユニット支持本体１へ脱離可能に取着する取着部材６ａを含む複数個の構成部材（ワックス支持具及び糸案内具等）を組立てたワックス塗布装置本体部６と、ワックス塗布装置１４の所定位置に夫々配設した、配線用コネクター３の他方の接合部３ｂと、掃除用圧縮空気を受ける配管用コネクター４の他方の接合部４ｂと、ワックスを押し開き駆動するための伝動機構５の他方の節である従動節５ｂと、位置決手段９の孔９ｂ及び連結手段１０のボルト１０ｂとを一体に備えている。巻取ユニット支持本体１は、ワックス塗布装置１４が取着される領域における夫々の所定位置に、図４に示す如く、該配線用コネクター３の一方の接合部３ａと、該伝動機構５の一方の節である原動節５ａと、該位置決手段９のピン９ａ及び該連結手段１０のねじ孔１０ａを設けてある。
【００２４】
上記ワックス塗布装置１４は、固定した巻取ユニット支持本体１の取着部１ａに対して、自動ワインダーの巻取ユニット１１の組立て又は保守点検のために矢符Ａ方向へ移動させたとき、上記コネクター３，４の接合又は分離、上記伝動機構５の連結又は分離、上記位置決手段９の嵌合又は分離並びに上記連結手段１０の螺合又は分離を、同時又は並行して行うことができるようになっている。
【００２５】
前記巻取ユニット構成装置２の一種である糸欠点検出装置１５は、図９及び図４に示す如く、巻取ユニット支持本体１へ脱離可能に取着する取着部材６ａを含む複数個の構成部材（糸案内具及び検知具等）を組立てた糸欠点検出装置本体部６と、糸欠点検出装置１５の所定位置に夫々配設した、配線用コネクター３の他方の接合部３ｂと、掃除用圧縮空気を受ける配管用コネクター４の他方の接合部４ｂと、位置決手段９の孔９ｂ及び連結手段１０のボルト１０ｂとを一体に備えている。巻取ユニット支持本体１は、糸欠点検出装置１５が取着される領域における所定位置に、図４に示す如く、該配線用コネクター３の一方の接合部３ａと、該配管用コネクター４の一方の接合部４ａと、該位置決手段９のピン９ａ及び該連結手段１０のねじ孔１０ａを設けてある。
【００２６】
上記糸欠点検出装置１５は、固定した巻取ユニット支持本体１の取着部１ａに対して、自動ワインダーの巻取ユニット１１の組立て又は保守点検のために矢符Ａ方向へ移動させたとき、上記コネクター３，４の接合又は分離、上記位置決手段９の嵌合又は分離並びに上記連結手段１０の螺合又は分離を、同時又は並行して行うことができるようになっている。
【００２７】
前記巻取ユニット構成装置２の一種であるドラムカバー装置１６は、図１０及び図４に示す如く、巻取ユニット支持本体１へ脱離可能に取着する取着部材６ａを含む複数個の構成部材（カバー及びトラバース規制ガイド等）を組立てたドラムカバー装置本体部６と、ドラムカバー装置１６の所定位置に夫々配設した、配線用コネクター３の他方の接合部３ｂと、掃除用圧縮空気を受ける配管用コネクター４の他方の接合部４ｂと、規制ガイド駆動用圧縮空気を受ける配管用コネクター４の他方の接合部４′ｂと位置決手段９の孔９ｂ及び連結手段１０のボルト１０ｂ，１０ｂとを一体に備えている。巻取ユニット支持本体１は、ドラムカバー装置１６が取着される領域における所定位置に、図４に示す如く、該配線用コネクター３の一方の接合部３ａと、該掃除配管用コネクター４の一方の接合部４ａと、該規制ガイド駆動配管用コネクター４の一方の接合部（図示略）、該位置決手段９のピン９ａ及び該連結手段１０のねじ孔１０ａを設けてある。
【００２８】
上記ドラムカバー装置１６は、固定した巻取ユニット支持本体１の取着部１ａに対して、自動ワインダーの巻取ユニット１１の組立て又は保守点検のために矢符Ａ方向へ移動させたとき、上記コネクター３，４の接合又は分離、上記位置決手段９の嵌合又は分離並びに上記連結手段１０の螺合又は分離を、同時又は並行して行うことができるようになっている。
【００２９】
前記巻取ユニット構成装置２の一種である毛羽伏せ装置１７は、図１１及び図４に示す如く、巻取ユニット支持本体１へ脱離可能に取着する取着部材６ａを含む複数個の構成部材（ディスクユニット、押さえ込みレバー及びカッター等）を組立てた毛羽伏せ装置本体６と、毛羽伏せ装置１７の所定位置に夫々配設した、配線用コネクター３の他方の接合部３ｂと、掃除用圧縮空気を受ける配管用コネクター４の他方の接合部４ｂと、押さえ込みレバーを駆動するための伝動機構５の他方の節である従動節５ｂと、カッターを駆動するための伝動機構５の他方の節である従動節５′ｂと、位置決手段９の孔９ｂ及び連結手段１０のボルト１０ｂとを一体に備えている。巻取ユニット支持本体１は、毛羽伏せ装置１７が取着される領域における所定位置に、図４に示す如く、該配線用コネクター３の一方の接合部３ａと、該配管用コネクター４の一方の接合部４ａと、該押さえ込みレバーを駆動するための伝動機構５の一方の節である原動節５ａと、該カッターを駆動する伝動機構５の一方の節（図示略）と、該位置決手段９のピン９ａ及び該連結手段１０のねじ孔１０ａを設けてある。
【００３０】
上記毛羽伏せ装置１７は、固定した巻取ユニット支持本体１の取着部１ａに対して、自動ワインダーの巻取ユニット１１の組立て又は保守点検のために矢符Ａ方向へ移動させたとき、上記コネクター３，４の接合又は分離、上記伝動機構５，５の連結又は分離、上記位置決手段９の嵌合又は分離並びに上記連結手段１０の螺合又は分離を、同時又は並行して行うことができるようになっている。
【００３１】
本実施の形態の自動ワインダーの巻取ユニット１１は、巻取ユニット構成装置２である糸張力調節装置１２（毛羽伏せ装置１７）、糸継装置１３、ワックス塗布装置１４、糸欠点検出装置１５及びドラムカバー装置１６の夫々が、装置本体６、コネクター３，４の他方の接合部３ｂ，４ｂ及び伝動機構５の他方の節５ｂを一体として扱うことができるようになっており、更に、巻取ユニット支持本体１に巻取ユニット構成装置２である糸張力調節装置１２等を着脱するとき、コネクター３，４の両接合部３ａ，３ｂ（４ａ，４ｂ）が接合又は分離状態となると共に伝動機構５の両節５ａ，５ｂが連結又は分離状態となるため、自動ワインダーの巻取ユニット全体の組立てや保守点検が簡単にできる。また、巻取ユニット構成装置２である糸張力調節装置１２等は、自動ワインダーの巻取ユニット全体の組立てと切り離して、それ自体予め組立てておくことができる。しかも、要求に応じて、糸張力調節装置１２に代えて毛羽伏せ装置１７を使う等、仕様変更が簡単にできる。さらに、図面に明示する如く、糸張力調節装置１２（毛羽伏せ装置１７）、糸継装置１３、ワックス塗布装置１４、糸欠点検出装置１５及びドラムカバー装置１６は、コネクター３，４の接合部３ｂ，４ｂ及び伝動機構５の他方の節５ｂの配置を互いに異ならせたから、巻取ユニット支持本体１に対する取着位置の付け間違いを確実に防止できる。
【００３２】
本実施の形態の自動ワインダーの巻取ユニット１１は、その他の巻取ユニット構成装置として、キャリアガイド２１（図１２参照）、バルーンブレーカー２２（図１３参照）、中継パイプ（図１４参照）、サクションマウス（図１５参照）及びパッケージホルダー２４（図１参照）を備えている。
【００３３】
上記キャリアガイド２１（図１２参照）は、フレーム２１ａと、フレーム２１ａに配設した送りリンク機構２１ｂ，２１ｃと、各リンク機構を駆動するための操作棒２１ｄ，２１ｅからなる従動節とを一体に備え、巻取ユニット支持本体１に連結手段１０であるボルト１０ｂ，１０ｂで取着できるようになっている。操作棒２１ｄ，２１ｅは、巻取ユニット支持本体１に備えられている伝動機構（図示略）の原動節に連結するようになっている。
【００３４】
前記バルーンブレーカー２２（図１３参照）は、支持板２２ａと、支持板２２ａに昇降自在に配置した本体２２ｂと、本体２２ｂを昇降操作するエアーシリンダーからなる昇降操作具２２ｃとを一体に備え、巻取ユニット支持本体１に連結手段１０であるボルト１０ｂ，１０ｂ…で取着できるようになっている。昇降操作具２２ｃから延設されて配管は、巻取ユニット支持本体１に備えられているコネクター（図示略）に着脱自在に接合できるようになっている。
【００３５】
前記中継パイプ（図１４参照）及びサクションマウス（図１５参照）は、巻取ユニット支持本体１の取着部１ａから突設した管状の接合部２６，２７に、着脱自在に接合されるようになっている。
【００３６】
本実施の形態の自動ワインダーの巻取ユニット１１は、図２及び図３に示す如く、巻取ユニット支持本体１に各種巻取ユニット構成装置が取着され、巻取ユニットＵが構成される。巻取ユニットＵは、給糸ボビン用コンベア２８で搬入されてきた給糸ボビンＢを、キャリアガイド２１で所定の解舒位置Ｅへ導く。解舒位置Ｅの給糸ボビンＢから解舒引き出された糸は、バルーンブレーカー２２、糸張力調節装置１２、ワックス塗布装置１４及び糸欠点検装置１５を通り、綾振りドラム１８により回転するパッケージＰに巻き取られる。糸継ぎを行うときには、切断された各糸端を吸うサクションマスウ２４と中継パイプ２３の旋回により、上糸と下糸を糸継装置１３に入れて、糸継ぎを行う。空ボビンＢ′は、キャリアガイド２１により空ボビン用コンベア２９へ排出される。なお、巻取ユニット構成部材１２への配管及び電気配線は、巻取ユニット支持本体１内を通され、機台の主配管及び主電線に接続されるようになっている。
【図面の簡単な説明】
【００３７】
【図１】本発明に係る自動ワインダーの巻取ユニットの実施の形態を示すものであり、巻取ユニット支持本体と各種巻取ユニット構成装置とを分離した状態を作業通路側からみた正面図である。
【図２】同実施の形態において、巻取ユニット支持本体に各種巻取ユニット構成装置を取着した状態を示す正面図である。
【図３】同実施の形態において、巻取ユニット支持本体に各種巻取ユニット構成装置を取着した状態を示す左側面図である。
【図４】同実施の形態において、コネクターの両接合部、伝動機構の両節、位置決手段のピンと孔及び連結手段のねじ孔とボルトの夫々を分離した状態を拡大して示す正面断面図である。
【図５】同実施の形態において、コネクターの両接合部、伝動機構の両節、位置決手段のピンと孔及び連結手段のねじ孔とボルトの夫々を接合又は連結した状態を拡大して示す正面断面図である。
【図６】同実施の形態における巻取ユニット構成装置である糸張力調節装置を拡大して示す斜視図である。
【図７】同実施の形態における巻取ユニット構成装置である糸継装置を拡大して示す斜視図である。
【図８】同実施の形態における巻取ユニット構成装置であるワックス塗布装置を拡大して示す斜視図である。
【図９】同実施の形態における巻取ユニット構成装置である糸欠点検出装置を拡大して示す斜視図である。
【図１０】同実施の形態における巻取ユニット構成装置であるドラムカバー装置を拡大して示す斜視図である。
【図１１】同実施の形態における巻取ユニット構成装置である毛羽伏せ装置を拡大して示す斜視図である。
【図１２】自動ワインダーの巻取ユニットに備えられるキャリアガイドを拡大して示す斜視図である。
【図１３】自動ワインダーの巻取ユニットに備えられるバルーンブレーカーを拡大して示す斜視図である。
【図１４】自動ワインダーの巻取ユニットに備えられる中継パイプを拡大して示す斜視図である。
【図１５】自動ワインダーの巻取ユニットに備えられるサクションマウスを拡大して示す斜視図である。
【符号の説明】
【００３８】
１…巻取ユニット支持本体、２…巻取ユニット構成装置、３，４…コネクター、３ａ，３ｂ…一方の接合部、４ａ，４ｂ…他方の接合部、５…伝動機構、５ａ…一方の節、５ｂ…他方の節、６ａ…取着部材、６ｂ，６ｃ…構成部材
【図１】
2007326720.tif 000003
【図２】
2007326720.tif 000004
【図３】
2007326720.tif 000005
【図４】
2007326720.tif 000006
【図５】
2007326720.tif 000007
【図６】
2007326720.tif 000008
【図７】
2007326720.tif 000009
【図８】
2007326720.tif 000010
【図９】
2007326720.tif 000011
【図１０】
2007326720.tif 000012
【図１１】
2007326720.tif 000013
【図１２】
2007326720.tif 000014
【図１３】
2007326720.tif 000015
【図１４】
2007326720.tif 000016
【図１５】
2007326720.tif 000017